(57)【要約】【課題】  入力端子の抜き差しに応じて画面表示を変化させてユーザーに状況把握を容易に行わせる。【解決手段】  検知回路が入力手段への入力端子の抜き差しを検知した（Ｓ２０１）場合、現在表示中の画像と共に抜き差しによる新たな画像をマルチ画面で表示する（Ｓ２０２）。【選択図】  図２
2005252528.tif 000002
【特許請求の範囲】
【請求項１】
互いに独立した画像信号線の入力端子が抜き差しされる複数の入力手段と、
前記入力手段への前記入力端子の抜き差しの状態を検知する検知回路と、
を備えた表示システムであって、
前記検知回路が前記入力手段への前記入力端子の抜き差しを検知した場合、現在表示中の画像と共に抜き差しによる新たな画像をマルチ画面で表示することを特徴とする表示システム。
【請求項２】
前記検知回路は、前記入力端子の抜き差しを機械的に検知すると共に、抜き差しされた前記入力端子についての映像信号の有無を電気的に検知するものであり、
前記入力端子が差し込まれた場合、差し込まれた前記入力端子について映像信号が有る時にはマルチ画面表示後に当該映像信号の画像を表示し、映像信号が無い時にはマルチ画面表示後に他の入力端子からの画像を表示することを特徴とする請求項１記載の表示システム。
【請求項３】
前記入力手段の傍に画面切替スイッチを設け、
前記入力端子が差し込まれた場合、マルチ画面表示時に前記画面切替スイッチが押下されると、差し込まれた前記入力端子からの画像を表示することを特徴とする請求項１記載の表示システム。
【請求項４】
入力手段への画像信号線の入力端子の抜き差しを検知するステップと、
前記入力端子の抜き差しを検知した時の現在表示中の画像を含む多数の入力手段からの複数の画像信号及び抜き差しによる新たな画像をマルチ画面で表示するステップと、
を備えたことを特徴とする入力端子挿抜時の表示方法。
【請求項５】
前記入力端子が差し込まれた場合、マルチ画面表示時に差し込まれた前記入力端子についての映像信号の有無を判別するステップと、
差し込まれた前記入力端子について映像信号が有る時にはマルチ画面表示後に当該映像信号の画像を表示し、映像信号が無い時にはマルチ画面表示後に他の入力端子からの画像を表示するステップと、
を備えたことを特徴とする請求項４記載の入力端子挿抜時の表示方法。
【請求項６】
前記入力端子が差し込まれた場合、マルチ画面表示時に画面切替スイッチが押下されると、差し込まれた入力端子からの画像を表示するステップを備えたことを特徴とする請求項４記載の入力端子挿抜時の表示方法。
【発明の詳細な説明】
【技術分野】
【０００１】
本発明は、ＮＴＳＣ，ＢＳ，ＣＳ，ＶＴＲ，ＤＶＤなどの複数の入力端子を備え、これらを表示するための多入力表示システムに関するものである。
【背景技術】
【０００２】
近年の表示システムにおいてはＮＴＳＣ，ＢＳ，ＣＳ，ＶＴＲ，ＤＶＤなど、表示システムに入力する映像ソースが多岐にわたっている。また、それに伴い入力端子も従来のアンテナ入力のみではなく、コンポジット入力，コンポーネント入力，Ｓ端子，Ｄ端子など数種類の入力端子を備えることが標準となってきている。
【０００３】
このような状況で、新しく入力端子を接続した時にユーザーがその端子のチャンネルを探し、画面を切替える、という操作が必要になってくる。このような操作の煩雑さを軽減させるために、画面を自動で切替える手法として例えば、映像信号の有無を検知して２画面表示モードに切替える手法（特許文献１参照）や、入力されている端子の状況を記憶しておいて新しく入力された入力信号に切替える手法（特許文献２参照）が開示されている。
【０００４】
また、このような状況においてはユーザーがその配線状況を容易に把握することは困難である。そこで、複数の入力端子の状況をユーザーに知らせる手法として例えば、接続図を表示する手法（特許文献３参照）や、入力系統を一覧表示する手法（特許文献４参照）が開示されている。
【０００５】
さらに、各画像ソースにスケーリングなどの画像処理を施し、表示レイアウトを変えて表示する手法（特許文献５参照）も開示されている。
【特許文献１】特開平７−１５４７１６号公報
【特許文献２】特開２００１−３４６１０１号公報
【特許文献３】特開平１０−３０４２６０号公報
【特許文献４】特開２０００−４１１９６号公報
【特許文献５】特開平１１−３０５９１７号公報
【発明の開示】
【発明が解決しようとする課題】
【０００６】
前述のような複数の入力を備えた表示システムに対して新たに入力端子を差し込む場合、接続しようとする機器の故障等の原因で映像信号が入力されていない場合が考えられる。また、ユーザーが意図的に映像信号の入力されていない端子を接続する場合も考えられる。
【０００７】
このような場合、特許文献１，２の手法では表示は何も変わらず、ユーザーの操作に対してリアクションが何もない状態になってしまっていた。このため、ユーザーは接続状態を確認するために表示装置と映像入力機器の両方を調べなくてはならなくなってしまっていた。
【０００８】
これに対してユーザーが接続状態を把握することを助ける手法として特許文献３，４がある。しかしながら、機器の接続は他の映像ソースを視聴しながら行われる場合も多く、前述の手法では視聴を中断しなければならなくなってしまっていた。
【０００９】
ここで、特許文献５の手法を用いれば視聴の中断をせずに接続状態を把握することが可
能になる。しかし、特許文献５の手法は接続状態を把握するという目的ではないため、映像信号が入力されていない入力端子の状態を表示することまでは考慮されていなかった。
【００１０】
本発明は上記実情に鑑みてなされたもので、その目的とするところは、入力端子の抜き差しに応じて画面表示を変化させてユーザーに状況把握を容易に行わせる表示システムを提供することにある。
【課題を解決するための手段】
【００１１】
上記目的を達成するために本発明の表示システムにあっては、互いに独立した画像信号線の入力端子が抜き差しされる複数の入力手段と、前記入力手段への前記入力端子の抜き差しの状態を検知する検知回路と、を備えた表示システムであって、前記検知回路が前記入力手段への前記入力端子の抜き差しを検知した場合、現在表示中の画像と共に抜き差しによる新たな画像をマルチ画面で表示することを特徴とする。
【００１２】
また、本発明は、入力手段への画像信号線の入力端子の抜き差しを検知するステップと、前記入力端子の抜き差しを検知した時の現在表示中の画像を含む多数の入力手段からの複数の画像信号及び抜き差しによる新たな画像をマルチ画面で表示するステップと、を備えたことを特徴とする入力端子挿抜時の表示方法である。
【００１３】
ここでのマルチ画面に表示される抜き差しによる新たな画像は、抜き差しによる接続状態を表示する画像や、新たに差し込まれた入力端子からの映像信号に基づく画像、又はそれらを組み合わせた画像などであり、これらが少なくとも入力端子の抜き差し時の現在表示中の画像と共にマルチ画面で表示される。
【発明の効果】
【００１４】
本発明は、入力端子の抜き差しに応じて画面表示を変化させてユーザーに容易に状況把握をさせることができる。
【００１５】
例えば映像の視聴中に入力端子の抜き差しを行う場合、現在の視聴を中断せずに入力端子の抜き差し確認を行うことができる。また、新たに差し込まれる入力端子に映像信号が無い場合でも接続確認を行うことができる。
【発明を実施するための最良の形態】
【００１６】
本発明は、
１）互いに独立した画像信号線の入力端子（コンポジット端子、Ｓ端子、Ｄ端子など）が抜き差しされる複数の入力手段、
２）入力手段への入力端子の抜き差しの状態を検知するもので、入力端子の挿入状態を機械的接続と映像信号の有無から検知する検知回路、
３）どの入力を優先させるかの調停を行う入力調停手段、
４）入力された各画像信号に対してスケーリングなどの画像処理を行う画像処理手段、
５）画像処理が行われた画像を合成して画面に表示すべき表示画面画像を生成する画像合成手段、
を備えた表示システムに適用される。
【００１７】
そして、検知回路が入力手段への入力端子の抜き差しを検知した場合、現在表示中の画像と共に抜き差しによる新たな画像をマルチ画面で表示する。
【００１８】
ここでのマルチ画面に表示される抜き差しによる新たな画像は、抜き差しによる接続状態を表示する画像や、新たに差し込まれた入力端子からの映像信号に基づく画像、又はそれらを組み合わせた画像などであり、例えば、マルチ画面は現在表示中の画像と共に新た
な接続状態を表示する画像を表示したり、又は、現在表示中の画像と共に新たに差し込まれた入力端子からの映像信号に基づく画像を表示したりする。
【実施例１】
【００１９】
（第１の実施例）
図１は本実施例の代表的な構成を示した図である。１０１は第１の入力手段、１０２は第２の入力手段、１０３は第３の入力手段、１０４は第１の検知回路、１０５は第２の検知回路、１０６は第３の検知回路、１０７は入力調停手段、１０８は第１の画像処理手段、１０９は第２の画像処理手段、１１０は第３の画像処理手段、１１１は画像合成手段、１１２は表示手段、１１３はコントローラ、を表している。
【００２０】
第１〜第３の入力手段１０１〜１０３はＮＴＳＣ，ＢＳ，ＣＳなどのアンテナ入力、およびＶＴＲ入力、ＤＶＤ入力、ＳＴＢ（セットトップボックス）からの入力などを表している。入力端子はアンテナコネクタ、ＲＣＡピン、Ｓ端子、Ｄ端子などが考えられる。本実施例では三系統の入力例で説明を行うが、入力の数は本発明を限定するものではない。
【００２１】
第１の入力手段１０１に入力端子が挿入されると、第１の検知回路１０４はその機械的接続を検出し、その機械的接続情報をバスを通してコントローラ１１３に伝える。この時の機械的接続検出方法としては機械的スイッチによる方法や、インピーダンス検出による方法などがある。また、第１の検知回路１０４は第１の入力手段１０１に接続された入力端子から映像信号が入力されていると、その映像信号の有無を検知し、検出された電気的接続情報をコントローラ１１３に伝える。
【００２２】
同様にして第２の入力手段１０２の接続情報を第２の検知回路１０５が検知し、第３の入力手段１０３の接続情報を第３の検知回路１０６が検知する。
【００２３】
それぞれの入力手段１０１〜１０３から入力された映像信号は入力調停手段１０７に入力される。入力調停手段１０７はコントローラ１１３によって予め設定された情報に従って、映像信号の入力制御を行う。入力調停手段１０７によって制御される内容は各入力映像信号の優先順位、表示時間などである。
【００２４】
入力調停手段１０７からの出力は第１の画像処理手段１０８、第２の画像処理手段１０９、第３の画像処理手段１１０に接続されている。第１の画像処理手段１０８には第１の入力手段１０１からの入力映像信号、第２の画像処理手段１０９には第２の入力手段１０２からの入力映像信号、第３の画像処理手段１１０には第３の入力手段１０３からの入力映像信号がそれぞれ入力される。
【００２５】
第１〜第３の画像処理手段１０８〜１１０はコントローラ１１３の指示に従ってスケーリングなどの画像処理を行う。
【００２６】
画像処理が行われた画像データは画像合成手段１１１に入力される。画像合成手段１１１はコントローラ１１３の指示に従って画像を合成して出力する。
【００２７】
画像合成手段１１１の出力は表示手段１１２に入力される。表示手段１１２は画像合成手段１１１によって生成された合成画像を表示する。
【００２８】
図２は本実施例を用いたシステムで新しく映像入力端子を挿入した場合の動作の流れを示した図である。
【００２９】
Ｓ２０１は新しい入力端子の挿入を機械的に検知した状態を表している。機械的検知は
、上述のように検知回路１０４〜１０６が機械的接続を検出し、その機械的接続情報をバスを通してコントローラ１１３に伝えることによって行われる。
【００３０】
Ｓ２０１の機械的接続の状態が検知されると、コントローラ１１３はマルチ画面表示であるレイアウト表示を表示手段１１２に指示し、表示手段１１２はレイアウト表示状態になる（Ｓ２０２）。
【００３１】
図３がレイアウト表示の表示例である。図３の例では３入力のシステムで３入力とも映像信号が入力されている例を示している。つまり、「入力１」、「入力２」、「入力３」のそれぞれの画像が、３つの縮小された画面で３分割表示される。このとき、どの入力端子からの入力か分かるように各分割画面の左上には「入力１」、「入力２」、「入力３」の文字も合わせて表示される。つまり、図３では、マルチ画面に表示される抜き差しによる新たな画像として、新たに挿入された「入力３」の入力端子からの映像信号に基づく画像が表示される。
【００３２】
このレイアウト表示は予めユーザーによって設定された時間だけ表示する。この設定時間のカウントを行う状態がＳ２０３である。Ｓ２０３は、例えばコントローラ１１３が予め設定された情報によって設定時間をカウントすることで行われる。
【００３３】
前述の設定時間が経過すると次の表示状態に移る。次の表示状態選択のための条件判断を行うのがＳ２０４である。Ｓ２０４では挿入された入力端子に映像信号が入力されているかどうかを判断する。つまり、コントローラ１１３は、設定時間の経過後に、検知回路１０４〜１０６からの映像信号の有無についての電気的接続情報を確認する。
【００３４】
もし新しく挿入された端子に映像信号が入力されていれば、Ｓ２０５へ行き、新しく挿入された入力端子からの入力映像を表示する。また、新しく挿入された入力端子から映像信号が入力されていないならば、Ｓ２０６へ行き、いままで視聴されていた元の映像信号を表示する。
【００３５】
このように、入力端子が挿入された場合、挿入された入力端子について映像信号が有る時にはレイアウト表示の設定時間経過後に当該映像信号の画像を表示し、映像信号が無い時にはレイアウト表示の設定時間経過後に他のもともと挿入されていた入力端子の視聴していたもとの画像を表示する。
【００３６】
例えば、図２の流れは、図３の例を用いて説明すると、「入力１」を視聴していて、新たに「入力３」の入力端子を挿入した場合、一旦、Ｓ２０２で図３のレイアウト表示を行い、前述の設定時間が経過した（Ｓ２０３）後に、「入力３」に映像信号が有ることから、「入力３」の全画面表示となる（Ｓ２０５）。
【００３７】
図４もレイアウト表示の一例を示している。図４の例では「入力１」のみ映像信号が入力され、入力２，３には映像信号が入力されていない場合であり、入力３の端子がコンポジット入力端子である場合を表している。
【００３８】
図４の例で図２の流れを説明すると、「入力１」の映像ソースを視聴していて、「入力３」のコンポジット入力端子に音声端子のみ接続した場合に、図４のようなレイアウト表示を行う（Ｓ２０２）。
【００３９】
この場合のレイアウト表示では、「入力１」では入力されている映像ソース（表示画面）を縮小して表示する。また、「入力２」では入力端子への映像信号の入力が行われていず、さらに機械的接続も検知されていないので、“端子が接続されていません”というメ
ッセージを表示する。また、「入力３」ではコンポジット入力の音声端子にのみ機械的接続が検知されたので、“音声端子が挿入されました”というメッセージと共に、機械的接続が検知された入力端子のキャラクタ表示を行う。つまり、抜き差しによる新たな画像として、音声端子が挿入されましたというメッセージと共に入力端子のキャラクタ表示が行われる。
【００４０】
この場合、新しく挿入された入力端子に映像信号が入力されていないので、前述のレイアウト表示の設定時間経過後には「入力１」の全画面表示に戻る（Ｓ２０６）。
【００４１】
図５もレイアウト表示の一例を示している。図５の例は「入力３」のコンポジット入力に映像信号のみが入力され、音声端子が挿入されていない場合を表している。
【００４２】
このときのレイアウト表示では、抜き差しによる新たな画像として、「入力３」では入力されている映像ソース（入力３の表示画面）を３分割画面用に縮小して表示し、且つ、“音声端子が挿入されていません”というメッセージを表示する。
【００４３】
この図５の場合、新しく挿入が検知された入力端子に、音声端子の機械的接続が検知されないので、前述の設定時間経過後には「入力３」の全画面表示は行わずに、図６のような２画面表示を行う。
【００４４】
図６では、いままで視聴していた「入力１」の映像ソースを全画面表示し、映像信号のみ入力されている「入力３」の映像ソースは子画面表示している例を示している。このように、Ｓ２０５での新しい画面の表示は、全画面表示以外にも、上記の２画面表示など表示の方法は限定されず、種々の表示が可能である。
【００４５】
次に、図７は前述の表示システムにおいて、視聴中に映像信号の入力端子が抜かれた場合の動作の流れを説明した図である。
【００４６】
Ｓ７０１は“端子が抜かれた”という機械的接続状態の変化を示している。この状態が検知されると、Ｓ７０２のレイアウト表示に移る。このレイアウト表示は今まで説明してきた図２のＳ２０２のレイアウト表示と同じで、３分割画面の表示である。例えば「入力３」の入力端子が抜かれたものとすると、抜き差しによる新たな画像として、「入力３」の画面には“端子が抜かれました”というメッセージだけが表示される。
【００４７】
このレイアウト表示は予めユーザーに設定された時間だけ表示する。この設定時間のカウントを行う状態がＳ７０３である。
【００４８】
前述の設定時間が経過すると次の表示状態に移る。次の表示状態選択のための条件判断を行うのがＳ７０４である。Ｓ７０４では抜かれた入力端子が映像信号の端子か音声端子か、を判断する。
【００４９】
もし抜かれたのが音声端子ならばＳ７０５へ行き、いままで視聴していた元の画面を表示する。また、抜かれたのが映像信号端子ならばＳ７０６へ行き、他の入力端子の映像ソースを表示する。
【００５０】
以上のように、入力端子の抜き差しに応じて画面表示を変化させてユーザーに容易に接続状況の状況把握をさせることができる。
【００５１】
（第２の実施例）
図８は第２の実施例における動作の流れを示した図である。
【００５２】
Ｓ８０１は新しい入力端子の挿入を機械的に検知した状態を表している。Ｓ８０１の状態が検知回路で検知されると、Ｓ８０２のレイアウト表示状態になる。このレイアウト表示は第１の実施例で説明した図２のＳ２０２のレイアウト表示と同じものである。
【００５３】
ここで、入力端子群からなるインターフェイス部の近くに配置された切替えスイッチが押下されるまでレイアウト表示を続ける（Ｓ８０３）。
【００５４】
切替えスイッチが押下されると、Ｓ８０４の状態に移り、新しく挿入された入力端子からの新しく入力された映像信号を画面表示する。
【００５５】
図９は前述の入力端子群からなるインターフェイス部の一例を示した図である。９０１はＳ端子、９０２はコンポジット端子、９０３はＤ端子、９０４は切替えスイッチ、を示している。そして、入力端子９０１〜９０３の近くに切替えスイッチ９０４が配置されている。
【００５６】
ユーザーが新たに端子をいずれかの端子を挿入すると、前述のＳ８０２のレイアウト表示画面となる。ここでユーザーは自分が挿入した端子の状況をレイアウト表示にて確認することができる。
【００５７】
次に切替えスイッチ９０４を押下すると、Ｓ８０４へ行き、挿入した端子に映像信号が入力されていれば新しい入力ソースを全画面表示する。もし、映像信号が入力されていなければ、いままで視聴していた映像ソースの全画面表示に戻る。
【００５８】
以上のように、本実施例でも、入力端子の挿入に応じて画面表示を変化させてユーザーに容易に接続状況の状況把握をさせることができる。
【産業上の利用可能性】
【００５９】
本発明は複数の入力端子を備えた表示システムに用いられる。ユーザーの視認性を高めると共に、接続時の操作の簡便化を図ることにより、他の機器との接続を容易にする場合に利用されるものである。
【図面の簡単な説明】
【００６０】
【図１】第１の実施例に係る表示システムの代表的な構成を示したブロック図である。
【図２】第１の実施例に係る新しく映像入力端子を挿入した場合の動作の流れを説明するフロー図である。
【図３】レイアウト表示の一例を示した図である。
【図４】レイアウト表示の一例を示した図である。
【図５】レイアウト表示の一例を示した図である。
【図６】レイアウト表示後の表示例を示した図である。
【図７】第１の実施例に係る視聴中に映像入力端子が抜かれた場合の動作の流れを説明するフロー図である。
【図８】第２の実施例に係る新しく映像入力端子を挿入した場合の動作の流れを説明するフロー図である。
【図９】第２の実施例に係るインターフェイス部の一例を示した図である。
【符号の説明】
【００６１】
１０１  第１の入力手段
１０２  第２の入力手段
１０３  第３の入力手段
１０４  第１の検知回路
１０５  第２の検知回路
１０６  第３の検知回路
１０７  入力調停手段
１０８  第１の画像処理手段
１０９  第２の画像処理手段
１１０  第３の画像処理手段
１１１  画像合成手段
１１２  表示手段
１１３  コントローラ
９０１  Ｓ端子
９０２  コンポジット端子
９０３  Ｄ端子
９０４  切替えスイッチ
【図１】
2005252528.tif 000003
【図２】
2005252528.tif 000004
【図３】
2005252528.tif 000005
【図４】
2005252528.tif 000006
【図５】
2005252528.tif 000007
【図６】
2005252528.tif 000008
【図７】
2005252528.tif 000009
【図８】
2005252528.tif 000010
【図９】
2005252528.tif 000011